(57)【要約】【課題】従来のワイパーのエネルギー消費量が高く、さらに製造コストが高いという問題点を解決する。【解決手段】一個のメインカバー１、複数個の固定座２、複数個のサブカバー３、複数個の支持フレーム４と一個の軟質ワイパーゴム５を含む。メインカバー１には複数個の位置決め部１２が設けられる。固定座２はそれぞれメインカバー１の複数個の位置決め部１２に結合され、それぞれの固定座２には一個のカバー枢接部２５と一個のフレーム枢接部２６が設けられる。サブカバー３はそれぞれメインカバー１の両端に設けられ、さらに対応する固定座２のカバー枢接部２５に枢接される。支持フレーム４は対応する固定座２のフレーム枢接部２６に枢接され、それぞれの支持フレーム４には他に少なくとも一個の爪部４２が設けられる。軟質ワイパーゴム５は複数個の支持フレーム４の爪部４２に結合されるように構成されている。【選択図】図１
2015020735.tif 000002
【特許請求の範囲】
【請求項１】
一個のメインカバー（１）、複数個の固定座（２）、複数個のサブカバー（３）、複数個の支持フレーム（４）および一個の軟質ワイパーゴム（５）を含み、メインカバー（１）には複数個の位置決め部（１２）が設けられ、固定座（２）はそれぞれメインカバー（１）の複数個の位置決め部（１２）に結合され、それぞれの固定座（２）には一個のカバー枢接部（２５）と一個のフレーム枢接部（２６）が設けられ、サブカバー（３）はメインカバー（１）の両端にそれぞれ設けられ、さらに対応する固定座（２）のカバー枢接部（２５）に枢接され、支持フレーム（４）は対応する固定座（２）のフレーム枢接部（２６）に枢接され、それぞれの支持フレーム（４）には他に少なくとも一個の爪部（４２）が設けられ、軟質ワイパーゴム（５）は複数個の支持フレーム（４）の爪部（４２）に結合されることを特徴とするワイパー。
【請求項２】
メインカバー（１）には一個の底板（１ａ）と底板（１ａ）両側に連接する二個の側板（１ｂ）が含まれ、それぞれの位置決め部（１２）には底板（１ａ）に設けられる一個の係止部材（１２１）、および二個の側板（１ｂ）に設けられる複数個の第一当接部材（１２２）と複数個の第二当接部材（１２３）が含まれ、係止部材（１２１）は第一当接部材（１２２）と第二当接部材（１２３）の間の位置を合わせるように形成されることを特徴とする請求項１に記載のワイパー。
【請求項３】
それぞれの固定座（２）には一個の底板（２ａ）と底板（２ａ）両側に連接する二個の側板（２ｂ）が含まれ、それぞれの固定座（２）の底板（２ａ）には一個の貫穿状の係止溝（２１）が設けられ、それぞれの固定座（２）の二個の側板（２ｂ）はそれぞれの端縁部位において一個の第一支持部材（２２）と一個の第二支持部材（２３）が設けられ、係止溝（２１）は第一支持部材（２２）と第二支持部材（２３）の間の位置を合わせるように形成され、カバー枢接部（２５）と第二支持部材（２３）はそれぞれ固定座（２）の両端に位置するように形成され、係止溝（２１）はメインカバー（１）の係止部材（１２１）に係止して位置決めされ、第一支持部材（２２）はメインカバー（１）の第一当接部材（１２２）に当接して係止され、第二支持部材（２３）はメインカバー（１）の第二当接部材（１２３）に当接して係止されることを特徴とする請求項２に記載のワイパー。
【請求項４】
第一支持部材（２２）と第二支持部材（２３）は全て固定座（２）の側板（２ｂ）の外側に向かって突き出るように構成され、第一支持部材（２２）は端面がメインカバー（１）の第一当接部材（１２２）に当接して係止され、第二支持部材（２３）は端面がメインカバー（１）の第二当接部材（１２３）に当接して係止されることを特徴とする請求項３に記載のワイパー。
【請求項５】
メインカバー（１）のそれぞれの位置決め部（１２）には他に複数個の係合部材（１２４）が含まれ、複数個の係合部材（１２４）はメインカバー（１）の二個の側板（２ｂ）に設けられ、係合部材（１２４）は係止部材（１２１）と第二当接部材（１２３）の間の位置を合わせるように形成され、それぞれの固定座（２）には他に複数個の係止耳（２４）が含まれ、複数個の係止耳（２４）は固定座（２）の二個の側板（２ｂ）に設けられ、係止耳（２４）は係止溝（２１）と第二支持部材（２３）の間の位置を合わせるように形成され、係止耳（２４）は対応する係合部材（１２４）と嵌接して結合することを特徴とする請求項３に記載のワイパー。
【請求項６】
係止耳（２４）は固定座（２）の側板（２ｂ）の端縁から外側へ向かって延伸し、さらに一個の貫穿状の係止孔（２４１）が設けられることを特徴とする請求項５に記載のワイパー。
【請求項７】
フレーム枢接部（２６）は第一支持部材（２２）と係止耳（２４）の間に設けられることを特徴とする請求項５に記載のワイパー。
【請求項８】
それぞれの固定座（２）のフレーム枢接部（２６）は係止溝（２１）と互いに位置を合わせるように形成されることを特徴とする請求項７に記載のワイパー。
【請求項９】
それぞれの位置決め部（１２）には他に複数個の当接材（１２５）が含まれ、複数個の当接材（１２５）はメインカバー（１）の底板（１ａ）に設けられ、さらに係止部材（１２１）の両側に位置するように形成され、それぞれの固定座（２）の底板（１ａ）の外表面は当接材（１２５）に当接されることを特徴とする請求項３に記載のワイパー。
【請求項１０】
係止部材（１２１）の端縁は同時にメインカバー（１）の底板（１ａ）および二個の側板（１ｂ）と互いに連接するように形成されることを特徴とする請求項９に記載のワイパー。
【請求項１１】
係止溝（２１）の両端は固定座（２）の二個の側板（２ｂ）まで延伸するように形成されることを特徴とする請求項３に記載のワイパー。
【発明の詳細な説明】
【技術分野】
【０００１】
本発明は、車両の部品に関するもので、特に車両に取り付けられて車両のガラスと接触するワイパーに係るものである。
【背景技術】
【０００２】
図７は従来のワイパーの構造を示す分解斜視図であり、中華民国公告第Ｍ３０５１４８号の「ワイパー構造の改良」に掲示された一種のワイパーである（特許文献１参照）。このワイパー９にはプラスチックで製造される一個のメインカバー９１、一個の左カバー９２、一個の右カバー９３、および金属で製造された一個のメインフレーム９４、一個の左フレーム９５と一個の右フレーム９６が含まれる。
【０００３】
メインカバー９１の中央の部位には一個の長孔９１１が設けられ、長孔９１１は一個の係止桿座９１２を取り付けるのに用いられる。左カバー９２と右カバー９３はそれぞれメインカバー９１の左右の両端に設けられ、かつ左カバー９２と右カバー９３にはそれぞれ一個の爪部９２１、９３１が設けられる。メインフレーム９４の中央の部位にも一個の長孔９４１が設けられ、長孔９４１の中には一個の桿体９４２が設けられる。メインフレーム９４はメインカバー９１の中に嵌設され、さらに桿体９４２によってメインカバー９１の係止桿座９１２に係止される。メインフレーム９４の両端には一対の係止孔９４３がそれぞれ設けられ、係止孔９４３は左カバー９２と右カバー９３が結合するように用いられる。
【０００４】
左フレーム９５と右フレーム９６はそれぞれメインフレーム９４の左右の両端に鋲接して結合され、かつ左フレーム９５の両端にはそれぞれ一個の爪部９５１が設けられ、また右フレーム９６の両端にもそれぞれ一個の爪部９６１が設けられる。一個のワイパーゴム９７は左、右のフレーム９５、９６の爪部９５１、９６１と左、右のカバー９２、９３の爪部９２１、９３１に穿設して係止することにより、ワイパー９を構成するようにとしたものである。
【先行技術文献】
【特許文献】
【０００５】
【特許文献１】中華民国公告第Ｍ３０５１４８号
【発明の概要】
【発明が解決しようとする課題】
【０００６】
このような従来のワイパー９においては、しかしながら、プラスチックで製造されるメインカバー９１、左カバー９２と右カバー９３と比べると、ワイパー９のメインフレーム９４、左フレーム９５と右フレーム９６は、質量が相対的に大きくかつコストが相対的に高い金属材料で製造されるため、ワイパー９全体の重量が増えるだけでなく、ワイパー９を駆動するのに相対的に多量のエネルギーを必要とするため、ワイパー９の製造コストを低く抑えることはより一層難しく、市場における競争力において大変不利になるという問題点があった。
【０００７】
そのため、上述した問題点に基づき、上述した従来のワイパーを確実に改良しなければならない。
【０００８】
本発明はこのような問題点に鑑みて発明されたものであって、その第一の目的は、全体的な質量が軽く、駆動時に必要とするエネルギー消費を低くすることにより、エネルギーの節約を行うことができるワイパーを提供することにある。
【０００９】
本発明の第二の目的は、それぞれの部材で加算される金属材料の需要が比較的少なくすることにより、製造コストを比較的低くでき、それにより、市場での競争力を高めることができるワイパーを提供することにある。
【課題を解決するための手段】
【００１０】
上記目的を達成するために、本発明によるワイパーは、一個のメインカバー、複数個の固定座、複数個のサブカバー、複数個の支持フレームおよび一個の軟質ワイパーゴムを含む。メインカバーには複数個の位置決め部が設けられており、固定座はそれぞれメインカバーの複数個の位置決め部に結合され、それぞれの固定座には一個のカバー枢接部と一個のフレーム枢接部が設けられる。サブカバーはそれぞれメインカバーの両端に設けられ、さらに対応する固定座のカバー枢接部に枢接される。支持フレームは対応する固定座のフレーム枢接部に枢接され、それぞれの支持フレームには他に少なくとも一個の爪部が設けられる。軟質ワイパーゴムは複数個の支持フレームの爪部に結合される。
【００１１】
また、本発明によるワイパーは、メインカバーに一個の底板と底板両側に連接する二個の側板が含まれ、それぞれの位置決め部には底板に設けられる一個の係止部材、および二個の側板に設けられる複数個の第一当接部材と複数個の第二当接部材が含まれ、係止部材は第一当接部材と第二当接部材の間の位置を合わせるように形成することもできる。また、それぞれの固定座に一個の底板と底板両側に連接する二個の側板が含まれ、それぞれの固定座の底板には一個の貫穿状の係止溝が設けられ、それぞれの固定座の二個の側板はそれぞれの端縁部位において一個の第一支持部材と一個の第二支持部材が設けられ、係止溝は第一支持部材と第二支持部材の間の位置を合わせるように形成され、カバー枢接部と第二支持部材はそれぞれ固定座の両端に位置するように形成され、係止溝はメインカバーの係止部材に係止して位置決めされ、第一支持部材はメインカバーの第一当接部材に当接して係止され、第二支持部材はメインカバーの第二当接部材に当接して係止することもできる。
【００１２】
また、本発明によるワイパーは、第一支持部材と第二支持部材は全て固定座の側板の外側に向かって突き出るような構造からなり、第一支持部材が端面からメインカバーの第一当接部材に当接して係止され、第二支持部材は端面からメインカバーの第二当接部材に当接して係止されることもできる。また、メインカバーのそれぞれの位置決め部に他に複数個の係合部材が含まれ、複数個の係合部材はメインカバーの二個の側板に設けられ、係合部材は係止部材と第二当接部材の間の位置を合わせるように形成され、それぞれの固定座に他に複数個の係止耳が含まれ、複数個の係止耳は固定座の二個の側板に設けられ、係止耳は係止溝と第二支持部材の間の位置を合わせるように形成され、係止耳は対応する係合部材と嵌接して結合することもできる。
【００１３】
また、本発明によるワイパーは、係止耳は固定座の側板の端縁から外側へ向かって延伸し、さらに一個の貫穿状の係止孔が設けられることもできる。また、フレーム枢接部は第一支持部材と係止耳の間に設けられることもできる。また、それぞれの固定座のフレーム枢接部は係止溝と互いに位置を合わせるように形成されることもできる。また、それぞれの位置決め部には他に複数個の当接材が含まれ、複数個の当接材はメインカバーの底板に設けられ、さらに係止部材の両側に位置するように形成され、それぞれの固定座の底板の外表面は当接材に当接されることもできる。また、係止部材の端縁は同時にメインカバーの底板および二個の側板と互いに連接するように形成されることもできる。また、係止溝の両端は固定座の二個の側板まで延伸するように形成されることもできる。
【発明の効果】
【００１４】
本発明のワイパーによれば、全体的な質量が軽く、駆動時に必要とするエネルギー消費が比較的低いため、エネルギーを節約することができるという利点がある。
【００１５】
また、本発明のワイパーによれば、それぞれの部材における金属材料の需要が比較的少ないため、製造コストが比較的低くなり、市場での競争力を高めることができるという利点がある。
【図面の簡単な説明】
【００１６】
【図１】図１は、本発明の実施例によるワイパーの分解構造の斜視図である。
【図２】図２は、本発明の実施例によるワイパーの局部の分解構造の斜視図である。
【図３】図３は、本発明の実施例によるワイパーの局部の分解構造の斜視図である。
【図４】図４は、図３のＡ−Ａ線に沿った断面構造の説明図である。
【図５】図５は、図４のＢ−Ｂ線に沿った断面構造の説明図である。
【図６】図６は、図４のＣ−Ｃ線に沿った断面構造の説明図である。
【図７】図７は、従来のワイパーの分解構造の斜視図である。
【発明を実施するための形態】
【００１７】
本発明の実施の形態について、以下、図面を参照して説明する。
【００１８】
図１は本発明の実施例の分解構造の斜視図である。図１を参照すると、本発明のワイパーには、主として、一個のメインカバー１、複数個の固定座２、複数個のサブカバー３、複数個の支持フレーム４および一個の軟質ワイパーゴム５が含まれる。複数個の固定座２はメインカバー１に結合され、複数個のサブカバー３はそれぞれメインカバー１の両端に設けられ、さらに対応する固定座２に枢接される。複数個の支持フレーム４も対応する固定座２に枢接されることにより、メインカバー１とサブカバー３によって複数個の支持フレーム４をカバーして保護することができる。軟質ワイパーゴム５は複数個の支持フレーム４に結合されることにより、ワイパーを構成する。
【００１９】
メインカバー１には一個の底板１ａと二個の相対する側板１ｂとが含まれる。二個の側板１ｂはそれぞれ底板１ａの両側に連接され、メインカバー１を横の断面がコ字形の長い棒状のカバー体に形成させ、さらに一個の開放状の収容溝１１が形成される。メインカバー１には複数個の位置決め部１２が設けられ、それぞれの位置決め部１２は上述したそれぞれの固定座２が結合して位置決めするのに用いられる。
【００２０】
本実施例において、複数個の位置決め部１２の数は二個からなることができ、かつ二個の位置決め部１２はそれぞれメインカバー１の長手方向に近接する両端に設けられ、それにより、それぞれの固定座２が結合して位置決めした後に、局部的にメインカバー１の端部から突き出るように形成されるため、上述したそれぞれのサブカバー３が対応する固定座２の突き出た部位に枢接して結合するのに用いられる。
【００２１】
図２は本発明の実施例の要部の分解構造を示す斜視図で、図３は本発明の実施例の要部の分解構造を示す斜視図である。図２、３を参照すると、本実施例におけるそれぞれの位置決め部１２には一個の係止部材１２１、複数個の第一当接部材１２２、複数個の第二当接部材１２３と複数個の係合部材１２４が含まれる。それぞれの固定座２を充分に安定するようにメインカバー１に結合させることにより、固定座２がメインカバー１に相対して各方向へ回転したり変位したりすることを防止する。
【００２２】
さらに詳しく言えば、係止部材１２１はメインカバー１の底板１ａに設けられることにより、固定座２がメインカバー１の内部に置き入れられて予め決められた深さまで達した時、係止部材１２１と互いに係合して位置決めすることができる。その中、係止部材１２１の端縁は、好ましくは同時に底板１ａおよび二個の側板１ｂと互いに連接するように形成されることにより、係止部材１２１を簡単に製造して成型できるだけでなく、さらに係止部材１２１を底板１ａと二個の側板１ｂの間を強化構造にすることができるため、メインカバー１が力を受けた時に比較的変形し易くなくなる。
【００２３】
それぞれの位置決め部１２の複数個の第一当接部材１２２は、それぞれメインカバー１の二個の側板１ｂに設けられ、複数個の第二当接部材１２３と複数個の係合部材１２４も全てそれぞれ二個の側板１ｂに設けられる。係止部材１２１は第一当接部材１２２と第二当接部材１２３の間の位置を合わせて形成され、係合部材１２４は係止部材１２１と第二当接部材１２３の間の位置を合わせて形成される。その他に、位置決め部１２には複数個の当接材１２５が含まれる。複数個の当接材１２５はメインカバー１の底板１ａに設けられ、さらにそれぞれ係止部材１２１の両側に位置するように形成されることにより、固定座２の外表面が当接するのに用いることができる。
【００２４】
複数個の固定座２はそれぞれメインカバー１の複数個の位置決め部１２に結合される。それぞれの固定座２には一個の底板２ａと二個の相対する側板２ｂが含まれ、二個の側板２ｂはそれぞれ底板２ａの両側に連接され、これにより、それぞれの固定座２は一個の横断面がコ字形の座体に構成される。その中、それぞれの固定座２の二個の側板２ｂの間隔はメインカバー１の二個の側板１ｂの間隔より小さくなるように形成されることにより、それぞれの固定座２をメインカバー１の収容溝１１の中に置き入れることができる。
【００２５】
本実施例において、それぞれの固定座２の底板２ａには一個の貫穿状の係止溝２１が設けられる。それぞれの固定座２をメインカバー１の収容溝１１に置き入れた時、係止溝２１によって位置決め部１２の係止部材１２１に位置を合わせて嵌接することができ（図５に示す如く）、さらに、位置決め部１２の複数個の当接材１２５がそれぞれ係止溝２１の両側の底板２ａの外表面に当接されることにより（図６に示す如く）、それぞれの固定座２は安定して回転できないように位置決めされる。また、係止溝２１の両端は好ましくは二個の側板２ｂまで延伸されることにより、係止部材１２１と係止溝２１の結合範囲が増え、係止溝２１と係止部材１２１の結合の安定性を高めることができる。
【００２６】
その他に、メインカバー１の位置決め部１２と安定して結合させるべく、それぞれの固定座２の二個の側板２ｂには、それぞれ端縁の部位において、一個の第一支持部材２２、一個の第二支持部材２３と一個の係止耳２４が設けられる。係止溝２１は第一支持部材２２と第二支持部材２３の間の位置を合わせるように形成され、係止耳２４は係止溝２１と第二支持部材２３の間の位置を合わせるように形成される。その中、第一支持部材２２と第二支持部材２３は全て側板２ｂの外側に向かって突き出るような構造からなることができ、係止耳２４は側板２ｂの端縁から外側に向かって延伸し、さらに一個の貫穿状の係止孔２４１が設けられる。
【００２７】
それぞれの固定座２がメインカバー１の収容溝１１に置きいれられた時、第一支持部材２２はその端面からメインカバー１の第一当接部材１２２に当接して係止され、第二支持部材２３はその端面からメインカバー１の第二当接部材１２３に当接して係止され、同時に、係止耳２４もメインカバー１の係合部材１２４と位置を合わせるように嵌接して結合することができる（図６に示す如く）。これにより、それぞれの固定座２は全て安定してメインカバー１の中の予め決められた位置に結合することができ（すなわち、それぞれの位置決め部１２に）、そしてメインカバー１に相対して各方向へ回転したり変位したりすることはない。
【００２８】
他に、固定座２には一個のカバー枢接部２５と一個のフレーム枢接部２６が設けられる。カバー枢接部２５と第二支持部材２２はそれぞれ固定座２の両端に位置し、カバー枢接部２５は上述したサブカバー３が枢接して結合するのに用いられる。フレーム枢接部２６は第一支持部材２２と係止耳２４の間に設けられることにより、上述した支持フレーム４が枢接して結合するのに用いられる。
【００２９】
その中、フレーム枢接部２６は、好ましくは、係止溝２１と互いに位置を合わせるように形成されることにより、支持フレーム４と固定座２の横動の支点は互いに位置を合わせることができ、さらに、メインカバー１の固定座２に安定して結合することができるため、支持フレーム４が力を受けた時に固定座２が回転または変位を生じ易くなくなり、それ故にワイパー全体の構造はさらに堅固になり、壊れ難くなるだけではなく、作動時において部材が互いにぶつかることによって噪音が生じるのを避けることができる。
【００３０】
再び図１、２を参照すると、それぞれのサブカバー３には一個の枢接部３１が設けられる。枢接部３１はサブカバー３の一端に近接するように形成される。本実施例において、サブカバー３の数は二個からなることができ、二個のサブカバー３はそれぞれその枢接部３１によって対応する固定座２のカバー枢接部２５に枢接される。二個のサブカバー３はそれぞれメインカバー１の両端に設けられることにより、メインカバー１と共に内部でカバーされる部材に対する保護効果を提供することができる。
【００３１】
図４は図３のＡ−Ａ線に沿った断面の構造図である。図１、４を参照すると、支持フレーム４には一個の枢接部４１が設けられることにより、対応する固定座２のフレーム枢接部２６に枢接される。支持フレーム４には他に少なくとも一個の爪部４２が設けられ、それにより、上述した軟質ワイパーゴム５が貫穿して嵌設するのに用いることができる。本実施例において、支持フレーム４には一個のメインフレーム４ａと二個のサブフレーム４ｂが含まれる。枢接部４１はメインフレーム４ａの中央に設けられ、二個のサブフレーム４ｂはそれぞれメインフレーム４ａの両端に近接する部位に枢接され、かつそれぞれのサブフレーム４ｂの両端にはそれぞれ一個の爪部４２が設けられる。これにより、支持フレーム４には合わせて四個の爪部４２を有するように形成される。
【００３２】
他の実施例においては、支持フレーム４には一個のメインフレーム４ａと一個のサブフレーム４ｂが含まれる。枢接部４１はメインフレーム４ａの中央に設けられ、サブフレーム４ｂはメインフレーム４ａのその内の一端の部位に近接するように枢接され、かつサブフレーム４ｂの両端にはそれぞれ一個の爪部４２が設けられる。さらに、メインフレーム４ａにサブフレーム４ｂが枢接されていない端部にも一個の所述爪部４２が設けられ、これにより、支持フレーム４には合わせて三個の爪部４２を有するように形成される。
【００３３】
別の形態としては、支持フレーム４において上述したサブフレーム４ｂを設置しなくてもよく、一個のメインフレーム４ａの両端においてそれぞれ一個の爪部４２を設置するだけで、支持フレーム４は合わせて二個の爪部４２を有するように形成される。即ち、支持フレーム４の構造の形態と爪部４２の数は異なる需要性に応じて調整を行なうことができるため、本発明においてはそれらに限定されることはない。
【００３４】
上述した構造によれば、本発明においてはメインカバー１の中に複数個の固定座２を嵌設することにより、複数個のサブカバー３と複数個の支持フレーム４を枢接して結合することができるため、ワイパーゴム５を複数個の支持フレーム４に結合してワイパーを構成することができる。これにより、図１、７を比較参照すると、従来のワイパー９ではメインカバー９１の中に置き入れる一本のメインフレーム９４によって左、右カバー９２、９３と左、右フレーム９５、９６が枢接するのに用いることができるのに対し、本発明においては従来のメインカバー９１に代わって複数個の小型の固定座２だけを使用しているため、本発明のワイパーの全体の重量を軽減することができると同時に、大量の金属材料を必要とする需要性を減らすことができるため、製造コストを大幅に低く抑えることができる。
【００３５】
綜合すると、本発明のワイパーによれば、複数個の小型の固定座によってメインカバーの中に安定して結合することができ、そして対応するサブカバーと支持フレームが枢接することによって結合されるように用いることができるため、本発明のワイパーの全体的な質量が軽く、駆動時に必要とするエネルギー消費を比較的低く抑えることができ、エネルギーの節約を行うことができる。
【００３６】
本発明のワイパーによれば、それぞれの部材で加算した金属材料の需要が比較的少ないため、製造コストが比較的低くなり、市場での競争力を高めることができる。
【００３７】
本発明は、その精神と必須の特徴事項から逸脱することなく他のやり方で実施することもできる。従って、本明細書に記載した好ましい実施形態は例示的なものであり、限定を意図するものではない。
【符号の説明】
【００３８】
１    メインカバー
１ａ    底板
１ｂ    側板
１１    収容溝
１２    位置決め部
１２１    係止部材
１２２    第一当接部材
１２３    第二当接部材
１２４    係合部材
１２５    当接材
２    固定座
２ａ    底板
２ｂ    側板
２１    係止溝
２２    第一支持部材
２３    第二支持部材
２４    係止耳
２４１    係止孔
２５    カバー枢接部
２６    フレーム枢接部
３    サブカバー
３１    枢接部
４    支持フレーム
４ａ    メインフレーム
４ｂ    サブフレーム
４１    枢接部
４２    爪部
５    軟質ワイパーゴム
【図１】
2015020735.tif 000003
【図２】
2015020735.tif 000004
【図３】
2015020735.tif 000005
【図４】
2015020735.tif 000006
【図５】
2015020735.tif 000007
【図６】
2015020735.tif 000008
【図７】
2015020735.tif 000009
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
一個のメインカバー（１）、複数個の固定座（２）、複数個のサブカバー（３）、複数個の支持フレーム（４）および一個の軟質ワイパーゴム（５）を含み、メインカバー（１）には複数個の位置決め部（１２）が設けられ、固定座（２）はそれぞれメインカバー（１）の複数個の位置決め部（１２）に結合され、それぞれの固定座（２）には一個のカバー枢接部（２５）と一個のフレーム枢接部（２６）が設けられ、サブカバー（３）はメインカバー（１）の両端にそれぞれ設けられ、さらに対応する固定座（２）のカバー枢接部（２５）に枢接され、支持フレーム（４）は対応する固定座（２）のフレーム枢接部（２６）に枢接され、それぞれの支持フレーム（４）には他に少なくとも一個の爪部（４２）が設けられ、軟質ワイパーゴム（５）は複数個の支持フレーム（４）の爪部（４２）に結合され、メインカバー（１）には一個の底板（１ａ）と底板（１ａ）の両側に連接する二個の側板（１ｂ）が含まれ、それぞれの位置決め部（１２）には底板（１ａ）に設けられる一個の係止部材（１２１）、および二個の側板（１ｂ）に設けられる複数個の第一当接部材（１２２）と複数個の第二当接部材（１２３）が含まれ、係止部材（１２１）は第一当接部材（１２２）と第二当接部材（１２３）の間の位置を合わせるように形成され、それぞれの固定座（２）には一個の底板（２ａ）と底板（２ａ）の両側に連接する二個の側板（２ｂ）が含まれ、それぞれの固定座（２）の底板（２ａ）には一個の貫穿状の係止溝（２１）が設けられ、それぞれの固定座（２）の二個の側板（２ｂ）はそれぞれの端縁部位において一個の第一支持部材（２２）と一個の第二支持部材（２３）が設けられ、係止溝（２１）は第一支持部材（２２）と第二支持部材（２３）の間の位置を合わせるように形成され、カバー枢接部（２５）と第二支持部材（２３）はそれぞれ固定座（２）の両端に位置するように形成され、係止溝（２１）はメインカバー（１）の係止部材（１２１）に係止して位置決めされ、第一支持部材（２２）はメインカバー（１）の第一当接部材（１２２）に当接して係止され、第二支持部材（２３）はメインカバー（１）の第二当接部材（１２３）に当接して係止されることを特徴とするワイパー。
【請求項２】
第一支持部材（２２）と第二支持部材（２３）は全て固定座（２）の側板（２ｂ）の外側に向かって突き出るように構成され、第一支持部材（２２）は端面がメインカバー（１）の第一当接部材（１２２）に当接して係止され、第二支持部材（２３）は端面がメインカバー（１）の第二当接部材（１２３）に当接して係止されることを特徴とする請求項１に記載のワイパー。
【請求項３】
メインカバー（１）のそれぞれの位置決め部（１２）には他に複数個の係合部材（１２４）が含まれ、複数個の係合部材（１２４）はメインカバー（１）の二個の側板（２ｂ）に設けられ、係合部材（１２４）は係止部材（１２１）と第二当接部材（１２３）の間の位置を合わせるように形成され、それぞれの固定座（２）には他に複数個の係止耳（２４）が含まれ、複数個の係止耳（２４）は固定座（２）の二個の側板（２ｂ）に設けられ、係止耳（２４）は係止溝（２１）と第二支持部材（２３）の間の位置を合わせるように形成され、係止耳（２４）は対応する係合部材（１２４）と嵌接して結合することを特徴とする請求項１に記載のワイパー。
【請求項４】
係止耳（２４）は固定座（２）の側板（２ｂ）の端縁から外側へ向かって延伸し、さらに一個の貫穿状の係止孔（２４１）が設けられることを特徴とする請求項３に記載のワイパー。
【請求項５】
フレーム枢接部（２６）は第一支持部材（２２）と係止耳（２４）の間に設けられることを特徴とする請求項３に記載のワイパー。
【請求項６】
それぞれの固定座（２）のフレーム枢接部（２６）は係止溝（２１）と互いに位置を合わせるように形成されることを特徴とする請求項５に記載のワイパー。
【請求項７】
それぞれの位置決め部（１２）には他に複数個の当接材（１２５）が含まれ、複数個の当接材（１２５）はメインカバー（１）の底板（１ａ）に設けられ、さらに係止部材（１２１）の両側に位置するように形成され、それぞれの固定座（２）の底板（１ａ）の外表面は当接材（１２５）に当接されることを特徴とする請求項１に記載のワイパー。
【請求項８】
係止部材（１２１）の端縁は同時にメインカバー（１）の底板（１ａ）および二個の側板（１ｂ）と互いに連接するように形成されることを特徴とする請求項７に記載のワイパー。
【請求項９】
係止溝（２１）の両端は固定座（２）の二個の側板（２ｂ）まで延伸するように形成されることを特徴とする請求項１に記載のワイパー。